(57)【要約】【課題】比較的簡易な構造により、蓋のバタツキを防止して品質感を向上できるゴミ箱を提案すること。【解決手段】ゴミ箱本体３の開口部３３を開閉する蓋４を、開口枠３２の回動軸３６回りに回動可能に取り付ける。回動軸３６に嵌合する蓋側ヒンジ４３の周面に、カム面４３ａを形成する。回転軸３６に対向する段差平面部３４に、板バネ３７を一体形成する。蓋４が開放バネ６によって開き側に回動する際、所定の回動角度から全開位置に達するまで、カム面４３ａが板バネ３７に接触して板バネ３７を押下する。カム面４３ａと板バネ３７との間に作用する摩擦力により、蓋４の回動速度を低減して、全開位置に達したときに蓋４にバタツキが生じることを防止する。【選択図】図３
2008280143.tif 000002
【特許請求の範囲】
【請求項１】
開口部を有するゴミ箱本体と、
上記ゴミ箱本体に回動可能に取り付けられ、上記開口部を開閉する蓋と、
上記蓋に設けられたカム部材と、
上記カム部材が当接可能に上記ゴミ箱本体に設けられ、上記蓋の回動範囲の少なくとも一部において上記カム部材に付勢力を作用させる板バネと
を備えることを特徴とするゴミ箱。
【請求項２】
請求項１に記載のゴミ箱において、
上記板バネから上記カム部材に作用する付勢力が、上記蓋が全開位置に達する前の回動位置で最大になるように形成されていることを特徴とするゴミ箱。
【請求項３】
請求項１に記載のゴミ箱において、
上記ゴミ箱本体に設けられた本体側ヒンジと、上記蓋に設けられ、上記本体側ヒンジに回動可能に連結された蓋側ヒンジとを備え、
上記蓋側ヒンジが上記カム部材を兼ねていることを特徴とするゴミ箱。
【請求項４】
請求項３に記載のゴミ箱において、
上記蓋の開放側端部と上記ゴミ箱本体の開口縁部とが係合可能に形成され、操作を受ける毎に係合動作と係合解除動作を交互に繰り返すラッチ機構と、
上記本体側ヒンジと蓋側ヒンジの間に配置され、上記蓋を開き方向に付勢する開放バネとを備えることを特徴とするゴミ箱。
【請求項５】
請求項３に記載のゴミ箱において、
上記ゴミ箱本体の下部に揺動可能に設けられたペダルと、
上記ペダルと上記蓋とを連結し、上記ペダルが受ける操作力を上記蓋に伝達して開放動作させるリンク機構と
を備えることを特徴とするゴミ箱。
【発明の詳細な説明】
【技術分野】
【０００１】
本発明は、ゴミ箱本体の開口部を開閉する蓋を備えるゴミ箱に関する。
【背景技術】
【０００２】
この種のゴミ箱としては、上端に開口部を有するゴミ箱本体と、このゴミ箱本体の上端の背面側に回動可能に軸支された蓋と、ゴミ箱本体の底部に揺動可能に取り付けられたペダルと、ゴミ箱本体の背面側に配置されて蓋の回動軸の近傍とペダルの背面部とに接続されたリンクとを備えたものが知られている。このゴミ箱は、ペダルの前面部が操作者に踏まれると、ペダルが揺動してリンクが上方に駆動され、このリンクの上端が蓋の回動軸よりも前面側部分を上向きに押し上げて、蓋が回動軸を中心に回動して開き動作をする。
【０００３】
このようなゴミ箱は、蓋が全開位置に達して開き動作が完了すると、動作の慣性によって蓋が振動してバタツキが生じ、品質感が悪いという問題がある。そこで、従来、蓋のバタツキを防止するために、蓋の回動軸に近傍に板状の庇部を設けると共に、ゴミ箱本体の回動軸の近傍に、２つの側壁とこの側壁の端部間を接続する板部材とで形成されたコ字状部を設けたゴミ箱が提案されている（例えば、特許文献１参照）。このゴミ箱は、ペダルが踏まれて蓋が全開位置に達すると、蓋の庇部がゴミ箱本体のコ字状部の板部材に当接し、この状態でリンクの上端が蓋の回動軸よりも手前側部分を押圧することにより、蓋の振動を抑えてバタツキを防止するようにしている。
【特許文献１】登録実用新案第３０００３６５号
【発明の開示】
【発明が解決しようとする課題】
【０００４】
しかしながら、上記従来のゴミ箱は、蓋に庇部を設けると共にゴミ箱本体にコ字状部を設けるので、構造が複雑になり、製造コストが増大する不都合がある。
【０００５】
そこで、本発明の課題は、比較的簡易な構造により、蓋のバタツキを防止して品質感を向上できるゴミ箱を提案することにある。
【課題を解決するための手段】
【０００６】
上記課題を解決するため、本発明のゴミ箱は、開口部を有するゴミ箱本体と、上記ゴミ箱本体に回動可能に取り付けられ、上記開口部を開閉する蓋と、上記蓋に設けられたカム部材と、上記カム部材が当接可能に上記ゴミ箱本体に設けられ、上記蓋の回動範囲の少なくとも一部において、上記蓋が開放側の回動位置にあるほど大きい付勢力を上記カム部材に作用させるように形成された板バネとを備えることを特徴としている。
【０００７】
上記構成によれば、ゴミ箱本体の開口部を開閉する蓋が開放側に回動する際、蓋の回動範囲の少なくとも一部において、板バネに当接するカム部材が、開放側の回動位置にあるほど大きい付勢力を板バネから受ける。これにより、蓋の回動の動作の勢いが抑えられるので、全開位置に達したときの蓋の振動が抑制されて、蓋のバタツキが防止される。このように、従来よりも簡易な形態の部材で蓋のバタツキを防止できるので、ゴミ箱の構造を簡易にして製造コストを低減できる。
【０００８】
一実施形態のゴミ箱は、上記板バネから上記カム部材に作用する付勢力が、上記蓋が全開位置に達する前の回動位置で最大になるように形成されている。
【０００９】
上記実施形態によれば、蓋が回動する際、全開位置に達する前に、板バネから作用される最大の付勢力で回動の勢いが抑制される。こうして十分に回動の勢いが抑制された後に、蓋が緩やかに全開位置に達する。したがって、付勢力の反作用に起因する蓋のバタツキを抑制できる。
【００１０】
一実施形態のゴミ箱は、上記ゴミ箱本体に設けられた本体側ヒンジと、上記蓋に設けられ、上記本体側ヒンジに回動可能に連結された蓋側ヒンジとを備え、上記蓋側ヒンジが上記カム部材を兼ねている。
【００１１】
上記実施形態によれば、回動軸を介して連結される本体側ヒンジと蓋側ヒンジのうち、蓋側ヒンジがカム部材を兼ねるので、蓋の形態を効果的に簡易にできる。
【００１２】
一実施形態のゴミ箱は、上記蓋の開放側端部と上記ゴミ箱本体の開口縁部とが係合可能に形成され、操作を受ける毎に係合動作と係合解除動作を交互に繰り返すラッチ機構と、上記本体側ヒンジと蓋側ヒンジの間に配置され、上記蓋を開き方向に付勢する開放バネとを備える。
【００１３】
上記実施形態によれば、開いた状態のゴミ箱本体の開口が閉じられる場合、ラッチ機構が操作され、このラッチ機構が係合動作をして蓋とゴミ箱本体とを係合することにより、蓋が全閉状態に保持される。一方、閉じた状態のゴミ箱本体の開口が開かれる場合、ラッチ機構が操作され、このラッチ機構が係合解除動作をして蓋とゴミ箱本体との係合を解除することにより、開放バネの付勢力で蓋が開き方向に付勢されて全開位置まで回動駆動される。
【００１４】
一実施形態のゴミ箱は、上記ゴミ箱本体の下部に揺動可能に設けられたペダルと、上記ペダルと上記蓋とを連結し、上記ペダルが受ける操作力を上記蓋に伝達して開放動作させるリンク機構とを備える。
【００１５】
上記実施形態によれば、蓋で閉じたゴミ箱本体の開口が開かれる場合、ペダルが操作され、この操作力がリンク機構を介して蓋に伝達され、蓋が全開位置まで回動駆動される。一方、開いたゴミ箱本体の開口が蓋で閉じられる場合、蓋及びリンク機構の自重によって蓋が閉じ側に回動する。
【発明の効果】
【００１６】
本発明によれば、蓋に設けられたカム部材と、このカム部材が当接可能にゴミ箱本体に設けられた板バネとを備えることにより、簡易な形態の部材で蓋の開放時のバタツキを防止できるので、ゴミ箱の構造を簡易にして製造コストを低減できる。
【発明を実施するための最良の形態】
【００１７】
以下、本発明のゴミ箱の実施形態を、図面を参照しながら詳細に説明する。
【００１８】
図１は本発明のゴミ箱を用いて構成された分別ゴミ箱を示す斜視図であり、図２は図１の分別ゴミ箱を構成するゴミ箱ユニットの縦断面図であり、図３は蓋側ヒンジと本体側ヒンジとの接続部分を示す斜視図である。図４は蓋側ヒンジと本体側ヒンジの構成部品を示す分解斜視図である。図５（ａ）はヒンジの接続部分の平面図であり、図５（ｂ）はヒンジの接続部分の縦断面図であり、図５（ｃ）はヒンジの接続部分の横断面図である。図６は蓋の開放端部をゴミ箱本体に係合させるラッチ機構を示す断面図である。図７（ａ）は蓋が全閉位置にあるときのヒンジの様子を示す断面図であり、図７（ｂ）は蓋が全開位置にあるときのヒンジの様子を示す断面図である。図８は蓋が全開位置にあるときの蓋側ヒンジと板バネとの接触状態を示す拡大断面図である。
【００１９】
図１に示すように、本実施形態の分別ゴミ箱１は、本発明のゴミ箱としてのゴミ箱ユニット２を、支持板１１上に３つ隣接配置して構成されている。各ゴミ箱ユニット２に、例えば可燃ごみ、不燃ごみ及び資源ごみ等のように３種類のごみを分別投入するように使用される。矩形状を有する支持板１１の底面の四隅には、キャスター１２が鉛直軸回りに回動可能に夫々枢着されている。この分別ゴミ箱１は、構成部品の殆どが合成樹脂で形成されている。
【００２０】
ゴミ箱ユニット２は、上端に開口部３３を有するゴミ箱本体３と、このゴミ箱本体３の開口部３３の背面側に回動可能に取り付けられた矩形の蓋４を備える。ゴミ箱本体３は、上端が開口した箱体３１と、この箱体３１の上端に嵌合した開口枠３２とを有する。開口枠３２は、開口部３３を取り囲む平面部３２ａと、この平面部３２ａの縁に連なって鉛直方向に延びるフランジ３２ｂを有し、このフランジ３２ｂで箱体３１の上端縁を取り囲むように、箱体３１に嵌合している。開口枠３２の平面部３２ａの前面側部分には、蓋４の開放側端部に設けられた係合突起４６が挿入される貫通孔５１が設けられている。この貫通孔５１内に、上記係合突起４６と係合する係合部５２が設けられている。
【００２１】
上記開口枠３２の背面側部分には、平面部３２ａに対して下方に段差をなして延在する段差平面部３４が形成されている。この段差平面部３４の幅方向両側には、図３乃至５に示すように、平面部３２ａの両端が背面側に突出してなる突出部３５が設けられており、この突出部３５の幅方向内側を向く鉛直面に、蓋を回動可能に支持する回動軸３６が突出している。この回動軸３６と突出部３５で本体側ヒンジを形成している。上記段差平面部３４には、上記回動軸３６の下方位置に、板バネ３７が一体に形成されている。すなわち、段差平面部３４の上記回動軸３６の下方位置に、前後方向に延びる２つの貫通溝３８，３８が所定間隔をおいて平行に形成されており、この貫通溝３８，３８の間の段差平面部３４の部分が板バネ３７となっている。この板バネ３７は、裏面から所定の厚み相当部分が除去されたような形状を有し、これにより、段差平面部３４の他の部分よりも厚みが薄く形成されて、板バネ３７が所定の付勢力を発揮するように調整されている。また、板バネ３７が後述する蓋側ヒンジ４３に当接されて変形する際、この板バネ３７の裏面側に位置する箱体３１の上端に板バネ３７の裏面が接触しないように形成されている。段差平面部３４の板バネ３７よりも前面側には、段差平面部３４と平面部３２ａとの間に連なって背面側を向く鉛直面から延びる補強用のリブ３９が設けられている。このリブ３９は、後述する開放バネ６の他端を位置決めする機能も有する。
【００２２】
上記蓋４は、矩形の板部４１と、この板部４１の両側縁と前側縁に連なって直角に延びるフランジ４１ａとを有する。蓋４の板部４１の裏面（開口部３３を臨む側の面）に、この板部４１の背面側の縁に隣接する位置に、カム部材を兼ねる蓋側ヒンジ４３が設けられている。この蓋側ヒンジ４３は、側面視において、細長の直角三角形の鈍角部分を面取りしたような形状を有し、この面取り部分に相当する曲面がカム面４３ａに形成されている。蓋側ヒンジ４３のカム面４３ａの内側に、回動軸３６が嵌合する軸孔４４が設けられている。
【００２３】
カム面４３ａは、蓋４が全閉位置から回動したときに、所定の回動位置から全開位置までの間、板バネ３７の表面に接する曲面形状に形成されている。すなわち、図８に示すように、蓋側ヒンジ４３の側面視において、貫通孔４４の中心Ｏからカム面４３ａまでの半径が、カム面４３ａの前面側から背面側に向かうにつれて変化するように形成されている。詳しくは、蓋４が全閉位置にあるときの鉛直方向の半径ｄ０を基準として、角度θ１では半径ｄ１、角度θ２では半径ｄ２、全開位置のときの鉛直線が通る角度θ３では半径ｄ３に形成され、ｄ１＜ｄ２＞ｄ３かつｄ１＜ｄ３の関係を満たすように形成されている。角度θ１における半径ｄ１は、回動軸３６の中心から板バネ３７の表面までの距離ｄｃと同一であり、これにより、蓋４の回動行程において、蓋４が傾斜角度θ１に達したときにカム面４３ａが板バネ３７と接触を開始し、傾斜角度θ２でカム面４３ａの板バネ３７の押下量が最大に達し、傾斜角度θ３でθ２におけるよりも少ない押下量で蓋４が全開となる。
【００２４】
本体側ヒンジの突出部３５の側面と蓋側ヒンジ４３の側面との間には、捩りバネで形成された開放バネ６が回動軸３６の周りに装着されている。開放バネ６の一端はリブ３９に沿って段差平面部３４に係止する一方、開放バネ６の他端は蓋側ヒンジ４３に沿って蓋４の裏面に係止している。蓋４の開放側端部には、板部４１の裏面に係合突起４６が設けられており、板部４１の係合突起４６と反対側の表面に、蓋４の開閉を操作する際に操作者によって押圧される押圧部４７が設けられている。
【００２５】
蓋４が全閉位置にあるとき、図６に示すように、蓋４の開放端部の係合突起４６が開口枠３２の貫通孔５１内に挿入されて、内部機構の図示を省略した係合部５２に係合するように構成されている。この係合部は、図示しない付勢バネで係合突起４６側に付勢されており、この係合部よりも奥側に、付勢バネの動作を制御する付勢制御部材が設けられている。付勢制御部材は、上記係合突起４６の先端が当接する毎に、上記付勢バネの係合部に対する付勢力の作用を、オン・オフの間で交互に切り替える。上記係合部と、付勢バネと、付勢制御部材によってラッチ機構を構成している。このラッチ機構は、押圧部４７への操作を受ける毎に係合突起４６の係合と係合解除を交互に繰り返す、いわゆるプッシュラッチ動作を行う。
【００２６】
上記構成のゴミ箱ユニット２は、以下のようにして蓋４の開閉動作をする。図２の実線で示すように、蓋４が全閉位置にあるとき、蓋４の開放端部の係合突起４６が開口枠３２の貫通孔５１内に挿入され、係合部５２に係止されて蓋４の全閉状態が保持されている。また、蓋側ヒンジ４３のカム面４３ａは板バネ３７と非接触の状態にある。蓋４の表面の押圧部４７が操作者に押圧されると、ラッチ機構が係合解除動作をして係合突起４６の係合が解除される。これに伴い、開放バネ６の付勢力によって蓋４が開き動作を開始する。すなわち、蓋側ヒンジ４３が嵌合する回動軸３６を中心として、蓋４が回動する。図８に示すように蓋４が水平面に対して角度θ１の回動位置に達すると、蓋側ヒンジ４３のカム面４３ａが板バネ３７の表面に接触する。蓋４がさらに回動するにつれて、カム面４３ａが板バネ３７の表面を摺動しながら下方（箱体３１側）に押下する。これにより、板バネ３７が下方に撓んでカム面４３ａに付勢力を作用させて、この付勢力によって生じる板バネ３７とカム面４３ａとの間の摩擦力により、蓋４の回動の勢いが抑制される。蓋４の傾斜角度がθ２になると、カム面４３ａによる板バネ３７の押下量が最大となり、蓋４の回動速度が大幅に低減する。蓋４の傾斜角度がθ２を過ぎると、カム面４３ａによる板バネ３７の押下量が減少し、傾斜角度がθ３に達したとき、蓋４の背面側の縁部４１ｂが段差平面部３４の縁に当接して蓋４の回動が停止して全開状態となる。蓋４が全開位置で停止したとき、板バネ３７がカム面４３ａに作用する付勢力は、開放バネ６の付勢力よりも小さくなるようにしている。これにより、蓋４が全開位置に安定して保持される。
【００２７】
このように、蓋４が開き側に回動する際、蓋側ヒンジ４３のカム面４３ａに、回動角度に応じた摩擦力を生じさせることにより、蓋４の回動の勢いを効果的に抑制できる。また、蓋４が全開位置に達する前に、板バネ３７からカム面４３ａへの付勢力を最大にして大幅に回動速度を低減した後、蓋４を全開位置に緩やかに停止させるので、蓋４が全開位置で停止したとき、板バネ３７の付勢力の反作用に起因するバタツキを抑制できる。その結果、蓋４が全開位置に達したときのバタツキを効果的に防止でき、ゴミ箱ユニット２の品質感を高めることができる。さらに、蓋４の回動の抑制を、蓋側ヒンジ４３に形成したカム面４３ａと、段差平面部３４に形成した板バネ３７とで行うので、簡単な構成により、寸法の増大を招くことなく、蓋４のバタツキを防止できて高品質感を有するゴミ箱ユニット２が得られる。
【００２８】
以上、本発明の実施形態を説明したが、本発明は上記各実施形態に限定されることなく、種々の変形が可能である。例えば、ゴミ箱ユニット２は、開放バネ６の付勢力で蓋４を開放したが、ペダルによって蓋を開放してもよい。すなわち、ゴミ箱本体の底部にペダルを揺動可能に取り付け、このペダルの背面部と蓋の回動軸の近傍とをリンクで接続し、このリンクをゴミ箱本体の背面側に配置して、ペダル式のゴミ箱ユニットを構成してもよい。このペダル式のゴミ箱ユニットにおいて、上記実施形態と同様に、蓋側ヒンジにカム面を形成し、このカム面に当接可能な板バネをゴミ箱本体に形成する。このようなペダル式ゴミ箱は、ペダルの前面部が操作者に踏まれ、ペダルが揺動してリンクが上方に駆動され、このリンクの上端が蓋の回動軸よりも前面側部分を上向きに押し上げて、蓋が回動して開き動作をする。このとき、蓋側ヒンジのカム面が板バネに当接して板バネを押圧し、板バネの付勢力を受けることにより、蓋の回動の勢いを効果的に抑制して、全開位置に達したときの蓋のバタツキを効果的に防止できる。
【００２９】
また、上記実施形態において、蓋側ヒンジ４３の周面にカム面４３ａを形成して蓋側ヒンジ４３をカム部材に兼用したが、蓋側ヒンジ４３とは別個にカム部材を設けてもよい。また、板バネ３７を段差平面部３４に一体に形成したが、別体の板バネを用いてもよい。
【００３０】
また、蓋側ヒンジ４３のカム面４３ａの形状は、蓋４の回動範囲の少なくとも一部において板バネ３７に摺動するのであれば、他の形状であってもよい。例えば、カム面４３ａによる板バネ３７の押下量が、カム面４３ａと板バネ３７との摺動範囲にわたって一定となる形状でもよく、あるいは、蓋４の全開位置で板バネ３７の押下量が最大となる形状でもよい。
【図面の簡単な説明】
【００３１】
【図１】本発明のゴミ箱を用いて構成された分別ゴミ箱を示す斜視図である。
【図２】分別ゴミ箱を構成するゴミ箱ユニットの縦断面図である。
【図３】蓋側ヒンジと本体側ヒンジとの接続部分を示す斜視図である。
【図４】蓋側ヒンジと本体側ヒンジの構成部品を示す分解斜視図である。
【図５】図５（ａ）はヒンジの接続部分の平面図であり、図５（ｂ）はヒンジの接続部分の縦断面図であり、図５（ｃ）はヒンジの接続部分の横断面図である。
【図６】蓋の開放端部をゴミ箱本体に係合させるラッチ機構を示す断面図である。
【図７】図７（ａ）は蓋が全閉位置にあるときのヒンジの様子を示す断面図であり、図７（ｂ）は蓋が全開位置にあるときのヒンジの様子を示す断面図である。
【図８】蓋が全開位置にあるときの蓋側ヒンジと板バネとの接触状態を示す拡大断面図である。
【符号の説明】
【００３２】
１  分別ゴミ箱
２  ゴミ箱ユニット
３  ゴミ箱本体
４  蓋
６  開放バネ
３１  箱体
３２  開口枠
３３  開口部
３４  段差平面部
３６  回動軸
３７  板バネ
４３  蓋側ヒンジ
４３ａ  カム面
４６  係合突起
【図１】
2008280143.tif 000003
【図２】
2008280143.tif 000004
【図３】
2008280143.tif 000005
【図４】
2008280143.tif 000006
【図５】
2008280143.tif 000007
【図６】
2008280143.tif 000008
【図７】
2008280143.tif 000009
【図８】
2008280143.tif 000010